(57)【要約】【課題】本発明は、表示装置の表面に傷がつかず、且つ修理費用が節約できる表示装置を提供することを目的とする。【解決手段】本発明の表示装置は、ケース、該ケース内に設置されているスクリーン、信号受信機及び支持部材を備え、スクリーンは、画面を表示し、信号受信機は、信号を受信して、表示装置を制御し、支持部材は、信号受信機を収容して固定し、ケースには、第一通孔が設けられ、支持部材は、本体及び該本体に設置されている固定部を備え、固定部は、第一通孔を収容して、支持部材をケースに固定する。【選択図】図３
2015197676.tif 000002
【特許請求の範囲】
【請求項１】
ケース、前記ケース内に設置されているスクリーン、及び信号受信機を備え、前記スクリーンは、画面を表示し、前記信号受信機は、信号を受信して、表示装置を制御する表示装置において、
前記表示装置は、支持部材を備え、前記支持部材は、前記信号受信機を収容して固定し、前記ケースには、第一通孔が設けられ、前記支持部材は、本体及び前記本体に設置されている固定部を備え、前記固定部は、前記第一通孔に挿入されて、前記支持部材を前記ケースに固定することを特徴とする表示装置。
【請求項２】
前記支持部材は、光導体を備え、前記光導体は、光信号を受信し、且つ該光信号を前記信号受信機に送信して、前記表示装置を制御することを特徴とする請求項１に記載の表示装置。
【請求項３】
前記ケースには第一開口が設けられ、前記第一通孔の数量は２つであり、それぞれの前記第一通孔は前記第一開口の両側に設置され、前記本体は、前記第一開口に挿入され、前記固定部の数量は２つであり、且つ前記本体の対向する両側に設置され、それぞれ１つの前記第一通孔と対応することを特徴とする請求項１に記載の表示装置。
【請求項４】
前記固定部は、接続部及び挿入部を備え、前記接続部は、前記本体と前記挿入部の一端とを接続し、前記挿入部は、前記第一通孔に挿入されることを特徴とする請求項１に記載の表示装置。
【請求項５】
前記挿入部における前記接続部から離れている一端には掛け鈎が設けられていることを特徴とする請求項４に記載の表示装置。
【請求項６】
前記ケースは、第一フレーム、前記第一フレームと対向している第二フレーム、及び前記第一フレームと前記第二フレームとを接続している第三フレームを備え、第一開口及び前記第一通孔は前記第一フレームに設けられ、前記本体は、前記第一開口を通過して前記第三フレームに設置されていることを特徴とする請求項１に記載の表示装置。
【請求項７】
前記第三フレームにおける前記第一フレームと前記第二フレームとに対向する一面には凹溝が設けられ、前記支持部材における前記第三フレームに対向する一面には２つの限定部が設けられ、前記２つの限定部は、前記凹溝内に収容され、且つ前記凹溝の対向する両側と接触することを特徴とする請求項６に記載の表示装置。
【請求項８】
前記第二フレームには、一定の間隔をあけて第二開口及び第二通孔が設けられ、前記支持部材には第一突起部及び第二突起部が設けられ、前記第一突起部は、前記第二開口を通過して、且つその一部は前記第二開口内に収容され、前記第二突起部は、前記第二通孔を通過して、且つその一部は前記第二通孔内に収容されることを特徴とする請求項６に記載の表示装置。
【請求項９】
前記本体は、下ケース、前記下ケースと対向して設置されている上ケース、前記下ケースと前記上ケースとに接続されている第一側壁、第二側壁、及び第三側壁を備え、前記下ケース、前記上ケース、前記第一側壁、前記第二側壁、及び前記第三側壁は共同で１つの収容キャビティを形成し、前記収容キャビティは、前記信号受信機を収容することを特徴とする請求項７に記載の表示装置。
【請求項１０】
２つの前記限定部は、それぞれ前記下ケースの短手方向に沿って前記第一側壁及び前記第二側壁に垂直に延在して形成されていることを特徴とする請求項９に記載の表示装置。
【発明の詳細な説明】
【技術分野】
【０００１】
本発明は、表示装置に関し、特に受信機を有する表示装置に関するものである。
【背景技術】
【０００２】
表示装置は、液晶テレビ、パソコン画面、デジタルフォトフレーム等の電子商品に応用されている。従来の表示装置は、ケースと、該ケースに成型されている固定部（例えば、フック）と、制御信号を受信する信号受信機と、ケース内に設置されて該信号受信機を収容して固定する支持部（例えば、光導体）と、を備える。しかし、固定部が直接にケースに一体成型されているため、成型の過程においてケースの表面に傷がつく恐れがある。また、固定部の破損により固定部を交換する場合、ケースも共に交換しなければならないので、修理費用が高くなってしまう。
【発明の概要】
【発明が解決しようとする課題】
【０００３】
以上の問題点に鑑みて、本発明は、表示装置の表面に傷がつかず、且つ修理費用を節約できる表示装置を提供することを目的とする。
【課題を解決するための手段】
【０００４】
上記の課題を解決するために、本発明の表示装置は、ケース、該ケース内に設置されているスクリーン、信号受信機、及び支持部材を備え、スクリーンは、画面を表示し、信号受信機は、信号を受信して、表示装置を制御し、支持部材は、信号受信機を収容して固定し、ケースには、第一通孔が設けられ、支持部材は、本体及び該本体に設置されている固定部を備え、固定部は、第一通孔に収容されて、支持部材をケースに固定する。
【発明の効果】
【０００５】
本発明の表示装置は、その固定部が支持部材に設けられているため、ケースの外観に影響を与えない。また、表示装置の固定部が破損した場合、固定部のみを交換するだけでよく、ケースを交換する必要がないため、修理費用が節約できる。
【図面の簡単な説明】
【０００６】
【図１】本発明に係る表示装置の平面図である。
【図２】図１に示した表示装置の一部の斜視図である。
【図３】図２に示した表示装置の一部の分解図である。
【図４】図３に示したケースを別の視覚から見た斜視図である。
【図５】図３に示した光導体を反対方向から見た斜視図である。
【図６】図３に示した表示装置の組立図である。
【図７】図６に示した表示装置をＶＩＩ−ＶＩＩ線に沿って切断した断面図である。
【発明を実施するための形態】
【０００７】
図１に示したように、表示装置９９は、ケース１０、ケース１０内に設置されているスクリーン２０、支持部材３０、及び指示灯４０を備える。ケース１０は、スクリーン２０と共に収容空間（図示せず）を形成し、該収容空間は、支持部材３０、信号受信機（図示せず）及び他の部品（図示せず）を収容する。スクリーン２０は、表示スクリーンである。支持部材３０は、ケース１０に固定されて、信号受信機を収容して固定する。指示灯４０が点灯している場合、表示装置９９が動作状態にあることを示す。本実施形態において、表示装置９９は、液晶テレビである。支持部材３０は、光導体（図示せず）を備え、該光導体は、光信号を受信し、且つこの光信号を信号受信機に送信して表示装置９９を制御する。指示灯４０は、ＬＥＤ灯である。他の実施形態において、表示装置９９は、パソコンのスクリーン、デジタルフォトフレーム或いは他の信号受信機を有する電子装置である。
【０００８】
図２〜図４を併せて参照すると、ケース１０は、第一フレーム１１、該第一フレーム１１と対向している第二フレーム１２、及び第一フレーム１１と第二フレーム１２と接続している第三フレーム１３を備える。表示装置９９が使用状態である場合、第二フレーム１２は、ユーザに対向している。
【０００９】
第一フレーム１１には、第一開口１１１及び第一通孔１１２が設けられている。第一通孔１１２の数量は２つであり、第一開口１１１の対向する両側にそれぞれ位置している。他の実施形態において、第一開口１１１の形状及び第一通孔１１２の形状は、矩形を呈す。
【００１０】
第二フレーム１２は、第一フレーム１１と平行である。第二フレーム１２は、第一開口１１１と対向し、且つ一定の間隔をあけて第二開口１２１及び第二通孔１２２が設けられている。第二開口１２１のサイズは、第一開口１１１のサイズより小さく、支持部材３０を収容する。第二通孔１２２は、指示灯４０を収容する。本実施形態において、第二開口１２１及び第二通孔１２２は、第二フレーム１２における第三フレーム１３と隣接する箇所に設けられている。第二開口１２１の形状は、略楕円形を呈し、第二通孔１２２の形状は、略円形状を呈す。
【００１１】
第三フレーム１３は、第一フレーム１１の一端と第二フレーム１２の一端とを接続している。第三フレーム１３の幅は、第一フレーム１１と第二フレーム１２との間の距離に等しい。また、第三フレーム１３は、第一フレーム１１及び第二フレーム１２に隣接する第一表面１３１を備える。第一表面１３１における第一開口１１１と対向する箇所には、凹溝１３２が設けられている。凹溝１３２は、矩形状を呈し、その長さは、第一開口１１１の長さに等しく、幅は、第一表面１３１の幅に等しい。
【００１２】
支持部材３０は、本体３１及び本体３１の両側に対称に設置されている２つの固定部３２を備える。本体３１のサイズは、第一開口１１１のサイズに等しい。本体３1は、略直方体を呈し、下ケース３１１、該下ケース３１１と対向する上ケース３１２、下ケース３１１及び上ケース３１２と垂直に接続されている第一側壁３１３、第二側壁３１４、及び第三側壁３１５、を備える。第一側壁３１３は、第二側壁３１４と平行であり、第三側壁３１５は、第一側壁３１３と第二側壁３１４とに垂直に接続している。下ケース３１１、上ケース３１２、第一側壁３１３、第二側壁３１４及び第三側壁３１５が共同で１つの半密封の収容キャビティ３１６を形成している。
【００１３】
信号受信機は、プリント基板３１７に固定されて制御信号を受信し、且つ該制御信号によって表示装置９９を制御する。本実施形態において、プリント基板３１７は、下ケース３１１に設置されている。
【００１４】
２つの固定部３２は、本体３１における第三側壁３１５と離れている一側に対向して設定され、それぞれ略Ｖ字状を呈す。１つの固定部３２は、第一側壁３１３に設置され、もう１つの固定部３２は、第二側壁３１４に設置されている。また、各固定部３２は、接続部３２１及び挿入部３２２を備える。各接続部３２１は、第一側壁３１３及び第二側壁３１４における第三側壁３１５から離れている一側と挿入部３２２の一端とをそれぞれ接続している。挿入部３２２は、第一通孔１１２と対応しており、且つ接続部３２１から離れている一端には掛け鈎３２３が設けられている。２つの挿入部３２２の距離は、２つの第一通孔１１２の距離より大きい。
【００１５】
図５を併せて参照すると、下ケース３１１における収容キャビティ３１６と反対側の一面には、２つの限定部３１１１が設けられている。限定部３１１１は、矩形状を呈し、それぞれ下ケース３１１の短手方向に沿って、且つ第一側壁３１３及び第二側壁３１４に垂直に延在して形成されている。限定部３１１１の長さは、第一側壁３１３及び第二側壁３１４の長さの半分である。
【００１６】
第三側壁３１５における収容キャビティ３１６に対向する面の反対側の面には、第二開口１２１と対応する第一突起部３１５１及び第二通孔１２２と対応する第二突起３１５２が設けられている。第一突起部３１５１及び第二突起部３１５２は、第三側壁３１５から収容キャビティ３１６と離れる方向に沿って突出して形成されている。第一突起部３１５１の形状は、第二開口１２１の形状と類似し、第二突起部３１５２の形状は、第二通孔１２２の形状と類似する。本実施形態において、第一突起部３１５１は、信号を受信し、且つ該信号を信号受信機に送信する。第二突起部３１５２は、指示灯４０が出射した光をユーザに伝達する。
【００１７】
図６及び図７を併せて参照すると、表示装置９９を組み立てる場合、先ず、本体３１を第一開口１１１に挿入して凹溝１３２に収容する。この時、２つの限定部３１１１は、凹溝１３２の対向する両側とそれぞれ接触している。第一突起部３１５１は、第二開口１２１を通過して、且つその一部は第二開口１２１内に収容され、第二突起部３１５２は、第二通孔１２２を通過して、且つその一部は第二通孔１２２内に収容される。同時に、２つの挿入部３２２は、それぞれ対応する第一通孔１１２に挿入される。２つの挿入部３２２の距離が２つの第二通孔１２２との距離より大きく、且つ２つの挿入部３２２に掛け鈎３２３が設けられているため、２つの挿入部３２２は、２つの第二通孔１２２に緊密に固定される。これにより、支持部材３０は、ケース１０に安定的に固定される。また、固定部３２が支持部材３０に設けられているため、ケース１０の外観に影響を与えない。また、表示装置９９の固定部３２が破損した場合、固定部３２のみを交換するだけでよく、ケース１０を交換する必要がないため、修理費用が節約できる。
【符号の説明】
【００１８】
９９  表示装置
１０  ケース
１１  第一フレーム
１２  第二フレーム
１３  第三フレーム
２０  スクリーン
３０  支持部材
３１  本体
３２  固定部
４０  指示灯
１１１  第一開口
１１２  第一通孔
１２１  第二開口
１２２  第二通孔
１３１  第一表面
１３２  凹溝
３１１  下ケース
３１２  上ケース
３１３  第一側壁
３１４  第二側壁
３１５  第三側壁
３１６  収容キャビティ
３１７  プリント基板
３２１  接続部
３２２  挿入部
３２３  掛け鈎
３１１１  限定部
３１５１  第一突起部
３１５２  第二突起部
【図１】
2015197676.tif 000003
【図２】
2015197676.tif 000004
【図３】
2015197676.tif 000005
【図４】
2015197676.tif 000006
【図５】
2015197676.tif 000007
【図６】
2015197676.tif 000008
【図７】
2015197676.tif 000009